(57)【要約】【課題】カード挿入口にカードが残置されていても、カードの残置を速やかに認知することのできるクリーニングボックスを提供する。【解決手段】カードリーダ４１からカード投入口４１ａに排出されたカードをカードセンサ４５によって検知すると、カードが検知されたことを遠隔操作ユニット５０のカード処理表示灯５２によって表示するようにしたので、利用者がカードを取り忘れた場合など、カード投入口４１ａにカードが残置されていても、カードの残置を店員に容易に認知させることができ、取り忘れのカードの盗難を確実に防止することができる。【選択図】  図７
2004303161.tif 000002
【特許請求の範囲】
【請求項１】
利用者の洗濯物を収納する洗濯物収納部と、洗濯済みの仕上品を収納する仕上品収納部と、洗濯物収納部及び仕上品収納部が設けられたクリーニングボックス本体と、クリーニングボックス本体側に設けられた本体側操作部及びカード受入部と、クリーニングボックス本体から離れた所定位置に配置される遠隔操作部とを備え、遠隔操作部の所定の操作によってカード受入部にカードを受入可能にした後、利用者の所定のカードがカード受入部に投入されると、本体側操作部の操作によって洗濯物収納部及び仕上品収納部の扉を開放可能にするようにしたクリーニングボックスにおいて、
前記カード受入部から排出されたカードがカード投入口に残置しているか否かを検知するカード検知手段と、
カード検知手段によってカードの残置が検知されると、カードの残置が検知されたことを遠隔操作部に表示するカード処理表示手段とを備えた
ことを特徴とするクリーニングボックス。
【請求項２】
前記カード処理表示手段を、遠隔操作部の操作によってカードを受入可能にされた場合は所定の発光部を点灯し、カードを受入可能にされていない場合は発光部を消灯し、カード検知手段によってカードの残置が検知された場合は発光部を点滅するように構成した
ことを特徴とする請求項１記載のクリーニングボックス。
【請求項３】
前記クリーニングボックス本体側の所定の異常を検知する異常検知手段と、
異常検知手段によってクリーニングボックス本体側の異常が検知されると、異常が発生したことを遠隔操作部に表示する異常表示手段とを備えた
ことを特徴とする請求項１または２記載のクリーニングボックス。
【請求項４】
前記異常検知手段を、クリーニングボックス本体の利用が可能な異常か否かを判別可能に構成した
ことを特徴とする請求項３記載のクリーニングボックス。
【請求項５】
前記異常表示手段を、異常検知手段によって検知された異常がクリーニングボックス本体の利用が可能な異常である場合は所定の発光部を点灯し、利用が不可能な異常である場合は発光部を点滅し、異常検知手段によって異常が検知されなかった場合は発光部を消灯するように構成した
ことを特徴とする請求項４記載のクリーニングボックス。
【請求項６】
前記洗濯物収納部及び仕上品収納部の扉の開閉を検知する扉開閉検知手段と、
扉開閉検知手段によって扉の開放が検知されると、扉の開放が検知されたことを遠隔操作部に表示する扉開閉表示手段とを備えた
ことを特徴とする請求項１、２、３、４または５記載のクリーニングボックス。
【請求項７】
前記扉開閉表示手段を、扉開閉検知手段によって扉の開放が検知された場合は所定の発光部を点灯し、扉の開放が検知されていない場合は発光部を消灯するように構成した
ことを特徴とする請求項６記載のクリーニングボックス。
【請求項８】
前記カード処理表示手段、異常表示手段及び扉開閉表示手段のうち少なくとも一つの表示手段の表示動作に連動して所定の警報音を発生する警報音発生手段を備えた
ことを特徴とする請求項１、２、３、４、５、６または７記載のクリーニングボックス。
【発明の詳細な説明】
【０００１】
【発明の属する技術分野】
本発明は、例えばコンビニエンスストアにおけるクリーニングサービスに用いられるクリーニングボックスに関するものである。
【０００２】
【従来の技術】
一般に、洗濯物の引受け及び仕上品の引渡しを人手によって行うクリーニング店を利用する場合には、クリーニング店の営業時間内に来店しなければならないが、利用者の都合上、所定の営業時間内に来店することができず、クリーニング店の利用に不便を来すという問題があった。
【０００３】
そこで、前記問題を解消するために、利用者が任意に洗濯物を投入可能な洗濯物受付機と、洗濯済みの仕上品を収納する複数のロッカーとを備えた店舗装置が提案されている（例えば、特許文献１参照。）。
【０００４】
この店舗装置では、利用者が店舗の洗濯物受付機に洗濯物を投入すると、洗濯業者等が洗濯物を回収してクリーニング工場で洗濯した後、洗濯済みの仕上品は無人店舗のロッカーに収納され、利用者は仕上品をロッカーから任意に受け取れるようになっている。その際、利用者が所定の会員カードを洗濯物受付機に挿入することにより、カードの識別情報から適正な利用者のカードであることが判別されると、洗濯物受付機またはロッカーの扉を開錠するようにしている。
【０００５】
【特許文献１】
特開平７−６５２３１号公報
【０００６】
【発明が解決しようとする課題】
ところで、前記店舗装置をコンビニエンスストア等の有人店舗に設置する場合には、ロッカーの扉を任意に開錠可能な遠隔操作部を店内のカウンタ内等に配置し、利用者が洗濯物の受け付けまたは仕上品の受け取りを店員に申し出ると、店員が遠隔操作部を操作して洗濯物受付機またはロッカーの扉を開錠するようにしている。
【０００７】
しかしながら、前記店舗装置では、遠隔操作部側から店員が洗濯物受付機を視認できない場合には、カード挿入口から排出されたカードを利用者が取り忘れた場合など、カード挿入口にカードが残存したまま放置されていても、カードの残存を店員が容易に認知することができず、取り忘れのカードが盗難に遭うおそれがあるという問題点があった。
【０００８】
本発明は前記問題点に鑑みてなされたものであり、その目的とするところは、カード挿入口にカードが残置されていても、カードの残置を速やかに認知することのできるクリーニングボックスを提供することにある。
【０００９】
【課題を解決するための手段】
本発明は前記目的を達成するために、請求項１では、利用者の洗濯物を収納する洗濯物収納部と、洗濯済みの仕上品を収納する仕上品収納部と、洗濯物収納部及び仕上品収納部が設けられたクリーニングボックス本体と、クリーニングボックス本体側に設けられた本体側操作部及びカード受入部と、クリーニングボックス本体から離れた所定位置に配置される遠隔操作部とを備え、遠隔操作部の所定の操作によってカード受入部にカードを受入可能にした後、利用者の所定のカードがカード受入部に投入されると、本体側操作部の操作によって洗濯物収納部及び仕上品収納部の扉を開放可能にするようにしたクリーニングボックスにおいて、前記カード受入部から排出されたカードがカード投入口に残置しているか否かを検知するカード検知手段と、カード検知手段によってカードの残置が検知されると、カードの残置が検知されたことを遠隔操作部に表示するカード処理表示手段とを備えている。これにより、カード受入部からカード投入口に排出されたカードが検知手段によって検知されると、カードが検知されたことが遠隔操作部側に表示されることから、利用者がカードを取り忘れた場合など、カード投入口にカードが残置されていても、カードの残置が容易に認知される。
【００１０】
また、請求項２では、請求項１記載のクリーニングボックスにおいて、前記カード処理表示手段を、遠隔操作部の操作によってカードを受入可能にされた場合は所定の発光部を点灯し、カードを受入可能にされていない場合は発光部を消灯し、カード検知手段によってカードの残置が検知された場合は発光部を点滅するように構成している。これにより、請求項１の作用に加え、カード受入の可否がカード処理表示手段の点灯及び消灯によって容易に確認されるとともに、カード投入口に排出されたカードが検知されると、点灯や消灯よりも表示効果の高い点滅表示によって周囲の注意が促される。
【００１１】
また、請求項３では、請求項１または２記載のクリーニングボックスにおいて、前記クリーニングボックス本体側の所定の異常を検知する異常検知手段と、異常検知手段によってクリーニングボックス本体側の異常が検知されると、異常が発生したことを遠隔操作部に表示する異常表示手段とを備えている。これにより、請求項１または２の作用に加え、クリーニングボックス本体側の異常が検知されると、異常が発生したことが遠隔操作部側に表示されることから、クリーニングボックス本体の異常が容易に認知される。
【００１２】
また、請求項４では、請求項３記載のクリーニングボックスにおいて、前記異常検知手段を、クリーニングボックス本体の利用が可能な異常か否かを判別可能に構成している。これにより、請求項３の作用に加え、クリーニングボックス本体側の異常が検知されると、クリーニングボックス本体の利用が可能な異常か否かが判別されることから、例えばクリーニングボックス本体の利用が可能な軽微な異常の場合には、利用可能な状態を継続させることが可能となる。
【００１３】
また、請求項５では、請求項４記載のクリーニングボックスにおいて、前記異常表示手段を、異常検知手段によって検知された異常がクリーニングボックス本体の利用が可能な異常である場合は所定の発光部を点灯し、利用が不可能な異常である場合は発光部を点滅し、異常検知手段によって異常が検知されなかった場合は発光部を消灯するように構成している。これにより、請求項４の作用に加え、クリーニングボックス本体が利用可能な状態における異常の有無が異常表示手段の点灯及び消灯によって容易に確認されるとともに、利用が不可能な異常である場合は点灯や消灯よりも表示効果の高い点滅表示によって周囲の注意が促される。
【００１４】
また、請求項６では、請求項１、２、３、４または５記載のクリーニングボックスにおいて、前記洗濯物収納部及び仕上品収納部の扉の開閉を検知する扉開閉検知手段と、扉開閉検知手段によって扉の開放が検知されると、扉の開放が検知されたことを遠隔操作部に表示する扉開閉表示手段とを備えている。これにより、請求項１、２、３、４または５の作用に加え、扉の開放が検知されると、扉の開放が検知されたことが遠隔操作部側に表示されることから、扉が開放状態で放置されたことが容易に認知される。
【００１５】
また、請求項７では、請求項６記載のクリーニングボックスにおいて、前記扉開閉表示手段を、扉開閉検知手段によって扉の開放が検知された場合は所定の発光部を点灯し、扉の開放が検知されていない場合は発光部を消灯するように構成している。これにより、請求項４の作用に加え、扉の開閉状態が扉開閉表示手段の点灯及び消灯によって容易に確認される。
【００１６】
また、請求項８では、請求項１、２、３、４、５、６または７記載のクリーニングボックスにおいて、前記カード処理表示手段、異常表示手段及び扉開閉表示手段のうち少なくとの一つの表示手段の表示動作に連動して所定の警報音を発生する警報音発生手段を備えている。これにより、各表示手段への目視のみならず、各表示手段によって表示すべき状態が警報音によって聴覚的にも認知される。
【００１７】
【発明の実施の形態】
図１乃至図９は本発明の一実施形態を示すもので、図１はクリーニングボックスの正面図、図２はその斜視図、図３は洗濯物収納部の側面断面図、図４は仕上品収納部の側面断面図、図５はクリーニングボックス本体側のスイッチ及びカードリーダの正面図、図６は遠隔操作ユニットの正面図、図７は制御系を示すブロック図、図８及び図９は制御部の動作を示すフローチャートである。尚、図８及び図９のフローチャートは同図に示す番号で連続するものとする。
【００１８】
このクリーニングボックスは、図１に示すようにコンビニエンスストアの店舗内等に設置可能に形成されたクリーニングボックス本体１０を備え、クリーニングボックス本体１０は利用者の洗濯物Ａを収納する洗濯物収納部２０と、洗濯済みの仕上品Ｂを収納する仕上品収納部３０とを一体に有している。クリーニングボックス本体１０は、互いに間隔を有する金属製の外面板１１及び内面板１２を箱状に形成してなり、その下面には複数のキャスタ１３が取付けられている。また、本実施形態のクリーニングボックスは、クリーニングボックス本体１０側に設けられた本体側操作部４０と、クリーニングボックス本体１０から離れた所定位置に配置される遠隔操作ユニット５０と、クリーニングボックス本体１０側に設けられた制御部６０とを備えている。
【００１９】
クリーニングボックス本体１０の幅方向一端側には洗濯物収納部２０が配置され、洗濯物収納部２０の前面上部には洗濯物投入口２０ａが設けられている。洗濯物投入口２０ａは投入扉２１によって開閉するようになっており、投入扉２１の幅方向一端側はクリーニングボックス本体１０に回動自在に支持され、その幅方向他端側には取手２１ａが設けられている。投入扉２１には電磁ロック式の錠前からなる第１の施錠機構２２が設けられ、第１の施錠機構２２は後述する制御部によって施錠及び解錠動作を制御されるとともに、専用の鍵によって手動でも解錠可能に構成されている。また、洗濯物投入口２０ａにはマイクロスイッチ等からなる第１の扉センサ２１ｂが設けられ、第１の扉センサ２１ｂによって投入扉２１の開閉が検知されるようになっている。
【００２０】
洗濯物収納部２０の前面下部には洗濯物取出口２０ｂが設けられ、洗濯物取出口２０ｂは洗濯物投入口２０ａよりも上下方向の寸法を大きく形成されている。洗濯物取出口２０ｂは取出扉２３によって開閉するようになっており、取出扉２３は幅方向一端側をクリーニングボックス本体１０に回動自在に支持されている。取出扉２３には錠前２４が設けられ、錠前２４は専用の鍵によって手動で解錠されるようになっている。また、洗濯物取出口２０ｂにはマイクロスイッチ等からなる第２の扉センサ２３ｂが設けられ、第２の扉センサ２３ｂによって取出扉２３の開閉が検知されるようになっている。
【００２１】
洗濯物収納部２０内には電装品収納箱２５が設けられ、電装品収納箱２５は洗濯物投入口２０ａと洗濯物取出口２０ｂとの間に配置されている。また、洗濯物収納部２０内には洗濯物投入口２０ａの下端から後方に延びる仕切部２６が設けられ、仕切部２６の後端と洗濯物収納部２０内の背面との間には洗濯物Ａを通過可能な隙間が形成されている。この仕切部２６は電装品収納箱２５を上方、後方及び下方から囲むように設けられ、その上面は前方に向かって下り傾斜をなすように形成されている。仕切部２６の後端側には後方に向かって下り傾斜をなす傾斜部２６ａが設けられ、傾斜部２６ａは仕切部２６の上面の傾斜面に連続するように形成されている。また、洗濯物収納部２０の底面はクッション性のシート材からなる緩衝部材２７によって覆われている。更に、洗濯物収納部２０内には光センサ等からなる満杯センサ２８が設けられ、満杯センサ２８によって洗濯物収納部２０内の洗濯物Ａが仕切部２６の高さ位置まで溜まったことを検知するようになっている。
【００２２】
クリーニングボックス本体１０の幅方向他端側には仕上品収納部３０が配置され、仕上品収納部３０の前面には仕上品受取口３０ａが設けられている。仕上品受取口３０ａは受取扉３１によって開閉するようになっており、受取扉３１の幅方向一端側はクリーニングボックス本体１０に回動自在に支持され、その幅方向他端側には取手３１ａが設けられている。受取扉３１には電磁ロック式の錠前からなる第２の施錠機構３２が設けられ、第２の施錠機構３２は後述する制御部によって施錠及び解錠動作を制御されるとともに、専用の鍵によって手動でも解錠可能に構成されている。また、仕上品受取口３０ａにはマイクロスイッチ等からなる第３の扉センサ３１ｂが設けられ、第３の扉センサ３１ｂによって受取扉３１の開閉が検知されるようになっている。受取扉３１には仕上品収納部３０内を外部から透視可能な透視窓３１ｃが設けられ、透視窓３１ｃは透明板３１ｄによって覆われている。仕上品収納部３０内の上下方向複数箇所には複数の仕上品Ｂを吊り下げ可能な仕上品保持部材３３が取付けられており、各仕上品保持部材３３は両端を仕上品収納部３０内の両側面に固定された幅方向に延びるパイプ状部材からなる。
【００２３】
本体側操作部４０は洗濯物投入口２０ａと洗濯物取出口２０ｂとの間に配置され、所定の情報を記録したカードを読み取るカードリーダ４１と、洗濯物Ａの投入時に操作する投入スイッチ４２と、仕上品Ｂの受取時に操作する受取スイッチ４３と、投入スイッチ４２または受取スイッチ４３の操作を取消す取消スイッチ４４とを備えている。カードリーダ４１には光センサ等からなるカードセンサ４５が付設され、カードセンサ４５によってカードリーダ４１のカード投入口４１ａに残存するカードが検知されるようになっている。
【００２４】
遠隔操作ユニット５０は、例えば店内のカウンタ内に配置され、その幅方向両端には壁面等に取付けるための取付部５０ａが設けられている。遠隔操作ユニット５０は、カードリーダ４１へのカードの受入れの可否を選択するカード受入スイッチ５１と、カードの受入可否及びカードの残存を表示するカード処理表示灯５２と、投入扉２１、取出扉２３及び受取扉３１の開閉状態を表示する扉開閉表示灯５３と、クリーニングボックス本体１０側の異常の発生を表示する異常表示灯５４と、仕上品収納部３０内の洗濯物Ａが満杯になったことを表示する満杯表示灯５５と、所定の警報音を発する警報ブザー５６とを備え、各表示灯５２，５３，５４，５５はそれぞれＬＥＤ等の発光体からなる。
【００２５】
制御部６０はマイクロコンピュータによって構成され、第１及び第２の施錠機構２２，３２、第１の扉センサ２１ｂ、第２の扉センサ２３ｂ、第３の扉センサ３１ｂ、満杯センサ２８、カードリーダ４１、投入スイッチ４２、受取スイッチ４３、取消スイッチ４４及びカードセンサ４５が接続されている。尚、各施錠機構２２，３２は、通常は施錠状態になっている。また、制御部６０は遠隔操作ユニット５０のカード受入スイッチ５１、各表示灯５２，５３，５４，５５及び警報ブザー５６がケーブル等を介して接続されている。更に、制御部６０にはクリーニングボックス本体１０側に設けられた異常検知部６１が接続され、異常検知部６１はクリーニングボックス本体１０側の所定の異常を検知するとともに、その異常がクリーニングボックス本体１０を利用可能な異常か否かを判別するようになっている。例えば、機構部の故障またはカードリーダ４１の読み取りエラー等のようにクリーニングボックス本体１０の利用が不可能な異常と、通信に関するエラー等のように利用が可能な異常とを判別する。
【００２６】
以上のように構成されたクリーニングボックスは、例えばコンビニエンスストアの店舗内に設置され、コンビニエンスストアのクリーニングサービスに用いられる。このクリーニングサービスは会員制になっており、利用者はコンビニエンスストア等で会員登録の手続をすることにより、クリーニングサービスの固有情報や利用者の識別情報等を記憶した会員カードが利用者に配布される。
【００２７】
前記クリーニングボックスを利用する場合には、来店した利用者が洗濯物の受け付けまたは仕上品の受け取りを店員に申し出ると、店員が遠隔操作ユニット５０によってカードリーダ４１へのカードの受入を可能な状態にする。この後、利用者が本体側操作部４０を操作することにより、洗濯物Ａの投入または仕上品Ｂの受取りを行うようになっている。
【００２８】
即ち、洗濯物Ａを預ける場合には、投入スイッチ４２を操作すると、第１の施錠機構２２が解錠され、洗濯物投入口２０ａの投入扉２１を開放して洗濯物投入口２０ａに洗濯物Ａを投入することにより、洗濯物Ａが洗濯物収納部２０に収納される。この場合、利用者は洗濯物Ａを専用の収納袋に収納するとともに、所定の伝票を添付してクリーニングボックスに投入する。
【００２９】
洗濯物収納部２０に収納された洗濯物Ａは、所定の洗濯業者によって定期的に回収される。その際、洗濯業者の鍵により洗濯物取出口２０ｂの取出扉２３の錠前２４が手動で解錠され、洗濯物収納部２０内の洗濯物Ａが洗濯物取出口２０ｂから取出される。この後、所定の仕上日になると、洗濯業者によって洗濯された仕上品Ｂが仕上品収納部３０内に収納される。その際、仕上品受取口３０ａの受取扉３１は、洗濯業者の鍵によって第２の施錠機構３２を手動で解錠することにより開放される。
【００３０】
そして、仕上品Ｂの受け取りに来店した利用者が受取スイッチ４３を操作すると、第２の施錠機構３２が解錠され、仕上品受取口３０ａの受取扉３１を開放して仕上品収納部３０内の仕上品Ｂを取出すことにより、仕上品Ｂを受取ることができる。
【００３１】
ここで、前記利用時における制御部６０の動作を図８及び図９のフローチャートを参照して説明する。まず、異常検知部６１によってクリーニングボックス本体１０側の異常が検知されなければ（Ｓ１）、異常表示灯５４を消灯状態にして（Ｓ２）、警報ブザー５６の警報音を消音状態にする（Ｓ３）。また、ステップＳ１において異常が検知された場合には、クリーニングボックス本体１０が利用可能な異常か否かを判別する（Ｓ４）。ここで、利用可能な異常の場合には異常表示灯５４を点灯させ（Ｓ５）、警報ブザー５６によって第１の警報音を発生させる（Ｓ６）。また、ステップＳ４においてクリーニングボックス本体１０の利用が不可能な異常と判別された場合には、異常表示灯５４を点滅させるとともに（Ｓ７）、警報ブザー５６によって第２の警報音を発生させ（Ｓ８）、ステップＳ１に戻る。
【００３２】
次に、ステップＳ１において異常が検知されなかった場合、またはステップＳ４においてクリーニングボックス本体１０の利用が可能な異常と判別された場合には、店員によって遠隔操作ユニット５０のカード受入スイッチ５１が操作されると（Ｓ９）、カード処理表示灯５２を点灯する（Ｓ１０）。これにより、カードリーダ４１にカードが受入可能な状態になる。次に、利用者によってカードリーダ４１にカードが投入されると（Ｓ１１）、カードリーダ４１によってカードが読み取られる（Ｓ１２）。ここで、投入されたカードが適正な会員カードでないと判定された場合は（Ｓ１３）、カードを返却し（Ｓ１４）、ステップＳ１１に戻る。また、ステップＳ１３において適正な会員カードであると判定され、利用者によって投入スイッチ４２が操作されると（Ｓ１５）、第１の施錠機構２２を解錠する（Ｓ１６）。次に、洗濯物投入口２０ａの投入扉２１が開放されたことを検知すると（Ｓ１７）、扉開閉表示灯５３を点灯する（Ｓ１８）。この後、投入扉２１が閉じられたことを検知すると（Ｓ１９）、第１の施錠機構２２を施錠し（Ｓ２０）、扉開閉表示灯５３を消灯するとともに（Ｓ２１）、カードリーダ４１からカードを排出する（Ｓ２２）。カードの排出によってカードリーダ４１のカード投入口４１ａにカードが存在していることが検知されると（Ｓ２３）、遠隔操作ユニット５０のカード処理表示灯５２を点滅させ（Ｓ２４）、警報ブザー５６によって第３の警報音を発生させる（Ｓ２５）。また、ステップＳ２３においてカードリーダ４１のカード投入口４１ａにカードが存在していることが検知されなかった場合には、カード処理表示灯５２を消灯状態にして（Ｓ２６）、警報ブザー５６を消音状態にする（Ｓ２７）。
【００３３】
また、カードが投入された後、利用者によって受取スイッチ４３が操作された場合には（Ｓ２８）、第２の施錠機構３２を解錠する（Ｓ２９）。次に、仕上品受取口３０ａの受取扉３１が開放されたことを検知すると（Ｓ３０）、扉開閉表示灯５３を点灯する（Ｓ３１）。この後、受取扉３１が閉じられたことを検知すると（Ｓ３２）、第２の施錠機構３２を施錠し（Ｓ３３）、扉開閉表示灯５３を消灯する（Ｓ３４）。以降、前記ステップＳ２３からＳ２７の動作を行う。
【００３４】
また、前記動作とは別に、第２の扉センサ２３ｂによって洗濯物取出口２０ｂの取出扉２３の開放が検知されると扉開閉表示灯５３が点灯し、満杯センサ２８によって洗濯物収納部２０内の洗濯物Ａが溜まったことが検知されると満杯表示灯５５が点灯するようになっている。
【００３５】
このように、本実施形態のクリーニングボックスによれば、カードリーダ４１からカード投入口４１ａに排出されたカードをカードセンサ４５によって検知すると、カードが検知されたことを遠隔操作ユニット５０のカード処理表示灯５２によって表示するようにしたので、利用者がカードを取り忘れた場合など、カード投入口４１ａにカードが残置されていても、カードの残置を店員に容易に認知させることができ、取り忘れのカードの盗難を確実に防止することができる。
【００３６】
この場合、遠隔操作ユニット５０のカード受入スイッチ５１によってカードリーダ４１にカードが受入可能にされた場合はカード処理表示灯５２を点灯し、受入可能にされていない場合はカード処理表示灯５２を消灯するようにしたので、カード受入の可否をカード処理表示灯５２の点灯及び消灯によって容易に確認することができ、カード受入スイッチ５１の操作を常に的確に行うことができる。また、カードセンサ４５によってカード投入口４１ａに排出されたカードが検知されると、カード処理表示灯５２を点滅するようにしたので、点灯や消灯よりも表示効果の高い点滅表示によって周囲の注意を促すことができ、カード投入口４１ａのカードの残置を店員に速やかに認知させることができる。
【００３７】
更に、クリーニングボックス本体１０側の所定の異常を検知すると、異常が発生したことを遠隔操作ユニット５０の異常表示灯５４によって表示するようにしたので、クリーニングボックス本体１０の異常を店員に容易に認知させることができ、異常状態の解消を速やかに行うことができる。
【００３８】
また、クリーニングボックス本体１０側の異常を検知すると、クリーニングボックス本体１０の利用が可能な異常か否かを判別するようにしたので、クリーニングボックス本体１０の利用が可能な軽微な異常の場合には、利用可能な状態を継続させることができ、利用の機会を確実に確保することができる。
【００３９】
この場合、異常が検知されなかった場合は異常表示灯５４を消灯し、クリーニングボックス本体１０の利用が可能な異常である場合は異常表示灯５４を点灯するようにしたので、利用可能な状態における異常の有無を異常表示灯５４の点灯及び消灯によって容易に確認することができ、異常の解消処理を利用状況に応じて的確に行うことができる。また、利用が不可能な異常である場合は異常表示灯５４を点滅するようにしたので、点灯や消灯よりも表示効果の高い点滅表示によって周囲の注意を促すことができ、利用不能な異常の発生を店員に速やかに認知させることができる。
【００４０】
更に、投入扉２１、取出扉２３または受取扉３１の開放を検知すると、扉の開放が検知されたことを遠隔操作ユニット５０の扉開閉表示灯５３によって表示するようにしたので、投入扉２１、取出扉２３または受取扉３１が開放状態で放置されたことを店員に容易に認知させることができ、扉の閉じ忘れによる洗濯物収納部２０内の洗濯物Ａや仕上品収納部３０内の仕上品Ｂの盗難を未然に防止することができる。
【００４１】
この場合、扉の開放が検知された場合は扉開閉表示灯５３を点灯し、扉の開放が検知されていない場合は扉開閉表示灯５３を消灯するようにしたので、扉の開閉状態を扉開閉表示灯５３の点灯及び消灯によって容易に確認することができ、扉の開閉状態の確認を常に的確に行うことができる。
【００４２】
また、カード処理表示灯５２、異常表示灯５４及び扉開閉表示灯５３の表示動作にそれぞれ連動して第１、第２及び第３の警報音を発生するようにしたので、各表示灯５２，５３，５４への目視のみならず、各表示灯５２，５３，５４によって表示すべき状態を警報音によって聴覚的にも認知させることができ、周囲の注意をより確実に促すことができる。
【００４３】
【発明の効果】
以上説明したように、請求項１のクリーニングボックスによれば、利用者がカードを取り忘れた場合など、カード投入口にカードが残置されていても、カードの残置を容易に認知させることができるので、取り忘れのカードの盗難を確実に防止することができる。
【００４４】
また、請求項２のクリーニングボックスによれば、請求項１の効果に加え、カード受入の可否を容易に確認することができるので、カード受入可否の操作を常に的確に行うことができる。また、カード投入口に排出されたカードが検知された場合には、表示効果の高い表示によって周囲の注意を促すことができるので、カード投入口のカードの残置を速やかに認知させることができる。
【００４５】
また、請求項３のクリーニングボックスによれば、請求項１または２の効果に加え、クリーニングボックス本体の異常を容易に認知させることができるので、異常状態の解消を速やかに行うことができる。
【００４６】
また、請求項４のクリーニングボックスによれば、請求項３の効果に加え、例えばクリーニングボックス本体の利用が可能な軽微な異常の場合には、利用可能な状態を継続させることができるので、利用の機会を確実に確保することができる。
【００４７】
また、請求項５のクリーニングボックスによれば、請求項４の効果に加え、クリーニングボックス本体が利用可能な状態における異常の有無を容易に確認することができるので、異常の解消処理を利用状況に応じて的確に行うことができる。また、利用が不可能な異常である場合には、表示効果の高い表示によって周囲の注意を促すことができるので、利用不能な異常の発生を店員に速やかに認知させることができる。
【００４８】
また、請求項６のクリーニングボックスによれば、請求項１、２、３、４または５の効果に加え、扉が開放状態で放置されたことを容易に認知させることができるので、扉の閉じ忘れによる洗濯物収納部内の洗濯物や仕上品収納部内の仕上品の盗難を未然に防止することができる。
【００４９】
また、請求項７のクリーニングボックスによれば、請求項６の効果に加え、扉の開閉状態を容易に確認することができるので、扉の開閉状態の確認を常に的確に行うことができる。
【００５０】
また、請求項８のクリーニングボックスによれば、請求項１、２、３、４、５、６または７の効果に加え、各表示手段への目視のみならず、各表示手段によって表示すべき状態を聴覚的にも認知させることができるので、周囲の注意をより確実に促すことができる。
【図面の簡単な説明】
【図１】本発明の一実施形態を示すクリーニングボックスの正面図
【図２】クリーニングボックスの斜視図
【図３】洗濯物収納部の側面断面図
【図４】仕上品収納部の側面断面図
【図５】本体側操作部の正面図
【図６】遠隔操作ユニットの正面図
【図７】制御系を示すブロック図
【図８】制御部の動作を示すフローチャート
【図９】制御部の動作を示すフローチャート
【符号の説明】
１０…クリーニングボックス本体、２０…洗濯物収納部、２１…投入扉、２１ｂ…第１の扉センサ、２３…取出扉、２３ｂ…第２の扉センサ、３０…仕上品収納部、３１…受取扉、３１ｂ…第３の扉センサ、４０…本体側操作部、４１…カードリーダ、４１ａ…カード投入口、４５…カードセンサ、５０…遠隔操作ユニット、５１…カード受入スイッチ、５２…カード処理表示灯、５３…扉開閉表示灯、５４…異常表示灯、５６…警報ブザー、６０…制御部。
【図１】
2004303161.tif 000003
【図２】
2004303161.tif 000004
【図３】
2004303161.tif 000005
【図４】
2004303161.tif 000006
【図５】
2004303161.tif 000007
【図６】
2004303161.tif 000008
【図７】
2004303161.tif 000009
【図８】
2004303161.tif 000010
【図９】
2004303161.tif 000011
【手続補正書】
【提出日】平成15年5月16日(2003.5.16)
【手続補正１】
【補正対象書類名】明細書
【補正対象項目名】００３３
【補正方法】変更
【補正の内容】
【００３３】
また、カードが投入された後、利用者によって受取スイッチ４３が操作された場合には（Ｓ２８）、第２の施錠機構３２を解錠する（Ｓ２９）。次に、仕上品受取口３０ａの受取扉３１が開放されたことを検知すると（Ｓ３０）、扉開閉表示灯５３を点灯する（Ｓ３１）。この後、受取扉３１が閉じられたことを検知すると（Ｓ３２）、第２の施錠機構３２を施錠し（Ｓ３３）、扉開閉表示灯５３を消灯する（Ｓ３４）。以降、前記ステップＳ２２からＳ２７の動作を行う。